(57)【要約】【課題】あらゆる種類のキャラクター等の装飾体を電子機器等に対して着脱自在とし、又、同時に複数の装飾体を使用者の好みに合わせて使用することができ、更に、任意のキャラクター等の装飾体を交換又は連接自在に構成した着脱自在の装飾具を提供する。【解決手段】あらゆる種類のキャラクターを着脱自在にしたものであり、電子機器に取り付けられた細紐及び金具の他端に連結部材を取り付け、該連結部材を介してキャラクター等のあらゆる装飾体が着脱自在に構成されており、且つ、キャラクター等の装飾体の下部に一体型雌型連結部材が形成され、任意のキャラクターが交換又は連接自在に構成されている着脱自在の装飾具である。【選択図】図１
2004243076.tif 000002
【特許請求の範囲】
【請求項１】
電子機器に取り付けられた細紐及び金具の他端にカバー部材を取り付け、その中に一つ又は複数の連結機能を有する連結部材を取り付け、一つ又は複数個の連結機能を介してキャラクター等のあらゆる装飾体が着脱自在に構成したことを特徴とする着脱自在の装飾具。
【請求項２】
キャラクター等の装飾体の下部に一体型雌型連結部材が形成され、任意の装飾体が交換又は連接自在に構成されていることを特徴とする着脱自在の装飾具。
【請求項３】
雄型連結部材の芯材にはあらゆる種類の紐類及び金具を挿通して係止することのできる一つ又は複数の孔部を設けたことを特徴とする着脱自在の装飾具。
【発明の詳細な説明】
【０００１】
【産業上の利用分野】
本発明は着脱自在の装飾具に関するものであり、特にあらゆる種類のキャラクター等の装飾体を電子機器等に対して着脱自在とし、更に任意のキャラクター等の装飾体を交換又は連接自在に構成した着脱自在の装飾具に関するものである。
【０００２】
【従来の技術】
従来、携帯電話用ストラップ等が種々考案されており、その連結構造は例えば実用新案登録第３０６９６２０号公報があるが、実用新案登録第３０６９６２０号に開示されている連結構造では、携帯電話に取り付けられた細紐に直接キャラクターが連結されているものである。
【０００３】
【発明が解決しようとする課題】
前記せる実用新案登録第３０６９６２０号公報に開示されている携帯電話用ストラップ等の連結部材では、特に携帯電話に取り付けられた細紐に直接キャラクターが連結されているものであるから、このキャラクターを任意のキャラクターで交換して取り付けることができなかった。また、他にもキャラクターの下に吊り紐を備えたものなどがあるが、これは単にキャラクター等のあらゆる装飾体を付け替えたり、つなげたりして楽しむことができなかった。
【０００４】
【課題を解決するための手段】
本発明は、電子機器に取り付けられた細紐及び金具の他端にカバー部材を取り付け、その中に一つ又は複数の連結機能を有する連結部材を取り付け、一つ又は複数個の連結機能を介してキャラクター等のあらゆる装飾体が着脱自在に構成したことを特徴とし、キャラクター等の装飾体の下部に一体型雌型連結部材が形成され、任意の装飾体が交換又は連接自在に構成されていることを特徴とし、且つ雌型連結部材の芯材にはあらゆる種類の紐類及び金具を挿通して係止するこのできる一つ又は複数の孔部を設けたことを特徴とする着脱自在の装飾具を提供するものである。
【０００５】
【発明の実施の形態】
以下、本発明の実施の形態について図面に基づいて具体的に説明する。
図面に於いて、図１は本発明の着脱自在の装飾具の使用状態の一例を示す正面図である。図２は本発明の着脱自在の装飾具の分解部分断面図である。図３は他の実施例を示す雌型連結部材の断面図である。図４は本発明の着脱自在の装飾具の使用状態の一例を示す正面図である。図５は雄型連結部材の芯材に孔部を設けた本発明着脱自在の装飾具の使用状態の一例を示す正面図である。図６は雄型連結部材の芯材に孔部を設けた本発明着脱自在の装飾具の分解部分断面図である。
【０００６】
図１に示すように、携帯電話等の電子機器１に細紐２が取り付けられており、該細紐２の他端には連結部材Ａが取り付けられ：該連結部材Ａを介してキャラクター等のあらゆる装飾体６が着脱自在に構成されている。
【０００７】
更に、キャラクター等の装飾体６の下部に一体型雌型連結部材７が形成され、任意のキャラクター等の装飾体が交換又は連接自在に構成されている。
【０００８】
図２に於いて、雌型連結部材３と雄型連結部材４とによって構成される連結部材Ａの具体的な構造が示されている。雄型連結部材３はカバー部材３１の内側に筒状部材３２が嵌着され、該筒状部材３２の下方の一部分には切欠部３３が形成されている。細紐２は筒状部材３２の頂部内側で結び目２１によって固定されている。
雌型連結部材３の開口部３４から雄型連結部材４の先端部が挿入されていくと、弾性部４２が押圧されながら挿入され、段差部４３が雌型連結部材３の切欠部３３に嵌着し、一端嵌着してしまえば、雌型連結部材３と雄型連結部材４とが強固に固定される。
【０００９】
雄型連結部材４の弾性部４２は芯材４５と一体的に形成されており、該芯材４５にはキャラクター等の装飾体６に一端を固定された細紐５の他端が紐止め部４１に係止されている。また、キャラクター等の装飾体６の下部には別体の雌型連結部材が一体的に形成されており、要すれば順次キャラクター等の装飾体を交換又は連接することができる。
【００１０】
キャラクター等の装飾体６を使用者の好みによって任意に交換する場合、雄型連結部材４を雌型連結部材３より離脱させるには雄型連結部材４の押圧部４４を押さえて、又は芯材４５の下方を回して雌型連結部材３の切欠部３３と雄型連結部材４の段差部４３の嵌着を外して容易に引き出すことができる。
【００１１】
次いで、図３に基づく他の実施例を示す雌型連結部材８の構成について説明すると、他の実施例に基づく雌型連結部材８は、筒状部材８１と蓋部材８２で構成されており、蓋部材８２の突起部８３が筒状部材８１の凹部に嵌着して固定され、細紐２は結び目２１によって蓋部材８２の内側で固定されている。また、該筒状部材８１の下方の開口部８５の周縁部には段差部８４が形成ささており、先に説明した雄型連結部材４を開口部８５より挿入すれば、雄型連結部材４の段差部４３と該大さ部８４とが相互に嵌着して固定され、この場合、雄型連結部材４と雌型連結部材８とは嵌着状態に於いて相互に回転自在であり、細紐の捩れ等を生じることがない。
【００１２】
次いで、図４に示す実施例に基づいて説明すると、雌型連結部材がカバー部材の内側に複数個あるので、図４のように使用者の好みに併せて複数の装飾体６を同時に使用する事が可能でる。更に図５乃至図６に示すように雄型連結部材の芯材４５には一つ又は複数の孔部４５１、４５２等が設けられているので、あらゆる紐類と金具類を付けた装飾体を１ケ所又は数ケ所に取り付けることができる。
【００１３】
【実施例】
本発明の着脱自在の装飾具を利用して既存の電子機器等に用いられている通常のストラップ用細紐を用いて引っ張り荷重測定を行った結果、１５Ｋｇの耐久力を有するものであった。
【００１４】
【発明の効果】
本発明の着脱自在の装飾具は以上説明したように、あらゆる種類のキャラクター等の装飾体を電子機器等に対して着脱自在とし、更に、任意のキャラクター等の装飾体を交換又は連接自在に構成してあるので、使用者の好みに併せて自由自在に使用できる効果がある。
【図面の簡単な説明】
【図１】本発明の着脱自在の装飾具の使用状態の一例を示す正面図である。
【図２】本発明の着脱自在の装飾具の分解部分断面図である。
【図３】他の実施例を示す雌型連結部材の断面図である。
【図４】本発明の着脱自在の装飾具の使用状態の一例を示す正面図である。
【図５】雄型連結部材の芯材に孔部を設けた本発明着脱自在の装飾具の使用状態の一例を示す正面図である。
【図６】雄型連結部材の芯材に孔部を設けた本発明着脱自在の装飾具の分解部分断面図である。
【符号の説明】
Ａ．連結部材
１．電子機器
２．細紐
２１．結び目
３．雌型連結部材
３１．カバー部材
３２．筒状部材
３３．切欠部
３４．開口部
４．雄型連結部材
４１．紐止め部
４２．弾性部
４３．段差部
４４．押圧部
４５．芯材
５．細紐
６．装飾体
７．一体型雌型連結部材
８．雌型連結部材
８１．筒状部材
８２．蓋部材
８３．突起部
８４．段差部
８５．開口部
【図１】
2004243076.tif 000003
【図２】
2004243076.tif 000004
【図３】
2004243076.tif 000005
【図４】
2004243076.tif 000006
【図５】
2004243076.tif 000007
【図６】
2004243076.tif 000008